(57)【要約】【課題】簡易に無線通信装置に接続できるサーバ及び通信システムを提供すること。【解決手段】ユーザ端末装置３から送信されてきた、端末ＩＤ情報と外部装置２により購入した商品の情報と端末位置情報を含む問合せ情報を受信する第１受信部１１と、端末位置情報に基づいて、外部装置２を特定する特定部１２と、特定部１２により特定された外部装置２に対して、販売した商品に関する情報を問い合わせる問合せ部１３と、問合せ部１３による問い合わせに応じて、外部装置２から送信されてきた販売した商品に関する情報の中に、第１受信部１１で受信した商品の情報が含まれているかどうかを判断する判断部１４と、判断部１４により販売した商品に関する情報の中に、商品の情報が含まれていると判断した場合、無線通信装置４の認証情報を、第１受信部１１で受信した端末ＩＤ情報を利用して、ユーザ端末装置３に送信する第１送信部１５とを備える。【選択図】図１
2014192709.tif 000002
【特許請求の範囲】
【請求項１】
ユーザ端末装置から送信されてきた、端末ＩＤ情報と、所定の通信規格に準拠した無線通信装置が接続されている外部装置により購入した商品の情報と、前記ユーザ端末装置の位置を示す端末位置情報を含む問合せ情報を受信する受信部と、
前記端末位置情報に基づいて、前記外部装置を特定する特定部と、
前記特定部により特定された前記外部装置に対して、販売した商品に関する情報を問い合わせる問合せ部と、
前記問合せ部による問合せに応じて、前記外部装置から送信されてきた前記販売した商品に関する情報の中に、前記受信部で受信した前記商品の情報が含まれているかどうかを判断する判断部と、
前記判断部により前記販売した商品に関する情報の中に、前記商品の情報が含まれていると判断した場合、前記無線通信装置の認証情報を、前記受信部で受信した前記端末ＩＤ情報を利用して、前記ユーザ端末装置に送信する送信部とを備えるサーバ。
【請求項２】
前記受信部は、前記外部装置により販売された商品の写真データを前記商品の情報として受信し、
前記判断部は、前記販売した商品に関する情報に商品の写真データが含まれている場合には、当該写真データを用いて、又は、前記販売した商品に関する情報に商品の写真データが含まれていない場合には、所定のデータベースから商品の写真データを取得し、取得した商品の写真データを用いて、前記受信部で受信した前記商品の写真データが含まれているかどうかを判断する請求項１記載のサーバ。
【請求項３】
前記判断部により前記販売した商品に関する情報の中に、前記商品の情報が含まれていると判断した場合、購入された商品に応じた使用可能時間を決定する決定部を備え、
前記送信部は、前記無線通信装置の認証情報とともに前記使用可能時間を、前記受信部で受信した前記端末ＩＤ情報を利用して、前記ユーザ端末装置に送信する請求項１記載のサーバ。
【請求項４】
端末ＩＤ情報と商品の情報が関連付けられているレコードを記憶する記憶部と、
前記受信部で問合せ情報を受信したときに、当該問合せ情報に含まれている端末ＩＤ情報に対応するレコードが前記記憶部に記憶されている場合には、対応するレコードに商品の情報を追加し、当該問合せ情報に含まれている端末ＩＤ情報に対応するレコードが前記記憶部に記憶されていない場合には、端末ＩＤ情報と商品の情報を関連付けたレコードを作成し、作成したレコードを前記記憶部に記憶する処理部と、
前記レコードに関連付けられている商品の情報に基づいて、当該商品の成分を検索する検索部と、
前記検索部により検索された成分を解析し、健康状態に関する情報を作成する健康状態情報作成部とを備え、
前記処理部は、前記検索部により検索された成分と、前記健康状態情報作成部により作成された健康状態に関する情報を、対応するレコードに関連付けて保存し、
前記送信部は、健康状態に関する情報を、レコードに関連付けられている端末ＩＤ情報を利用して、前記ユーザ端末装置に送信する請求項１記載のサーバ。
【請求項５】
サーバと、所定の通信規格に準拠した無線通信装置が接続されている外部装置と、前記無線通信装置を利用して通信を行う機能を有するユーザ端末装置とから構成される通信システムにおいて、
前記サーバは、
前記ユーザ端末装置から送信されてきた、端末ＩＤ情報と、前記外部装置により購入した商品の情報と、前記ユーザ端末装置の位置を示す端末位置情報を含む問合せ情報を受信する第１受信部と、
前記端末位置情報に基づいて、前記外部装置を特定する特定部と、
前記特定部により特定された前記外部装置に対して、販売した商品に関する情報を問い合わせる問合せ部と、
前記問合せ部による問い合わせに応じて、前記外部装置から送信されてきた前記販売した商品に関する情報の中に、前記第１受信部で受信した前記商品の情報が含まれているかどうかを判断する判断部と、
前記判断部により前記販売した商品に関する情報の中に、前記商品の情報が含まれていると判断した場合、前記無線通信装置の認証情報を、前記第１受信部で受信した前記端末ＩＤ情報を利用して、前記ユーザ端末装置に送信する第１送信部とを備え、
前記外部装置は、
前記問合せ部から送信されてきた前記問い合わせを受信する第２受信部と、
前記第２受信部により前記問い合わせを受信した場合、販売した商品に関する情報を前記サーバに送信する第２送信部を備え、
前記ユーザ端末装置は、
自身の位置情報を算出する位置情報算出部と、
端末ＩＤ情報と、前記外部装置により購入した商品の情報と、前記端末位置情報を含む問合せ情報を前記サーバに送信する第３送信部と、
前記第１送信部から送信されてきた前記無線通信装置の認証情報を受信する第３受信部と、
前記第３受信部で受信した前記無線通信装置の認証情報に基づいて、所定の認証処理を実行する実行部を備える通信システム。
【発明の詳細な説明】
【技術分野】
【０００１】
本発明は、所定の通信規格に準拠した無線通信装置の認証情報を提供するサーバ及び通信システムに関する。
【背景技術】
【０００２】
近年、公衆無線ＬＡＮのホットスポット（以下、無線ＬＡＮスポットという）が急速に広がりを見せている。このような無線ＬＡＮスポットでは、一般的に自由で誰もが使用できるものと、特定のサービスに加入したものだけが利用できるものがある。このような無線ＬＡＮスポットを利用することで、ユーザは、重い動画コンテンツ等を瞬時に見ることが可能になる。また、無線ＬＡＮスポット配信等も利用することができる。
【先行技術文献】
【特許文献】
【０００３】
【特許文献１】特開２００７−１５０９８４号公報
【特許文献２】特開２００９−２５３４２９号公報
【発明の概要】
【発明が解決しようとする課題】
【０００４】
ところで、現在、集客効果等を期待して無線ＬＡＮルータが搭載された自動販売機が存在する。この自動販売機では、無線ＬＡＮルータの利用に際して、メール等で登録するタイプと登録不要なタイプの２種類があり、いずれも料金はかからない。
【０００５】
しかし、このような形態の場合、誰でも利用することができるためセキュリティ上の問題が発生しやすく、また、近隣住民が容易に利用できてしまうため、フリーライドの問題が発生するおそれがある。
【０００６】
また、一般的な無線ＬＡＮの認証方法では、認証に入力の手間が発生するため、ユーザに操作の煩わしさが発生する。かかる場合に、特許文献１，２では、既に接続情報を保有している他の通信装置から、近距離無線通信によって、当該接続情報を取得することができる端末（通信装置）が提案されている。
【０００７】
しかし、自動販売機に搭載した無線ＬＡＮルータを利用するユーザは、その自動販売機周辺で一時的に落ち着くユーザであり、予め何人かの人が無線ＬＡＮルータを利用している状況を想定することは好ましくない。よって、特許文献１，２に係る認証方法では、自動販売機に搭載された無線ＬＡＮルータの利用に際して、周囲に無線ＬＡＮルータを利用している人がいない場合には、簡易に無線ＬＡＮルータを利用することができないデメリットがある。
【０００８】
本発明は、所定の通信規格に準拠した無線通信装置が接続されている外部装置周辺において、当該無線通信装置を利用している人がいなくても、高いセキュリティとフリーライドの問題を生じることなく、簡易に無線通信装置に接続できるサーバ及び通信システムを提供することを目的とする。
【課題を解決するための手段】
【０００９】
本発明に係るサーバは、上記課題を解決するために、ユーザ端末装置から送信されてきた、端末ＩＤ情報と、所定の通信規格に準拠した無線通信装置が接続されている外部装置により購入した商品の情報と、前記ユーザ端末装置の位置を示す端末位置情報を含む問合せ情報を受信する受信部と、前記端末位置情報に基づいて、前記外部装置を特定する特定部と、前記特定部により特定された前記外部装置に対して、販売した商品に関する情報を問い合わせる問合せ部と、前記問合せ部による問合せに応じて、前記外部装置から送信されてきた前記販売した商品に関する情報の中に、前記受信部で受信した前記商品の情報が含まれているかどうかを判断する判断部と、前記判断部により前記販売した商品に関する情報の中に、前記商品の情報が含まれていると判断した場合、前記無線通信装置の認証情報を、前記受信部で受信した前記端末ＩＤ情報を利用して、前記ユーザ端末装置に送信する送信部とを備える構成である。
【００１０】
また、サーバでは、前記受信部は、前記外部装置により販売された商品の写真データを前記商品の情報として受信し、前記判断部は、前記販売した商品に関する情報に商品の写真データが含まれている場合には、当該写真データを用いて、又は、前記販売した商品に関する情報に商品の写真データが含まれていない場合には、所定のデータベースから商品の写真データを取得し、取得した商品の写真データを用いて、前記受信部で受信した前記商品の写真データが含まれているかどうかを判断する構成でもよい。
【００１１】
また、サーバでは、前記判断部により前記販売した商品に関する情報の中に、前記商品の情報が含まれていると判断した場合、購入された商品に応じた使用可能時間を決定する決定部を備え、前記送信部は、前記無線通信装置の認証情報とともに前記使用可能時間を、前記受信部で受信した前記端末ＩＤ情報を利用して、前記ユーザ端末装置に送信する構成でもよい。
【００１２】
また、サーバでは、端末ＩＤ情報と商品の情報が関連付けられているレコードを記憶する記憶部と、前記受信部で問合せ情報を受信したときに、当該問合せ情報に含まれている端末ＩＤ情報に対応するレコードが前記記憶部に記憶されている場合には、対応するレコードに商品の情報を追加し、当該問合せ情報に含まれている端末ＩＤ情報に対応するレコードが前記記憶部に記憶されていない場合には、端末ＩＤ情報と商品の情報を関連付けたレコードを作成し、作成したレコードを前記記憶部に記憶する処理部と、前記レコードに関連付けられている商品の情報に基づいて、当該商品の成分を検索する検索部と、前記検索部により検索された成分を解析し、健康状態に関する情報を作成する健康状態情報作成部とを備え、前記処理部は、前記検索部により検索された成分と、前記健康状態情報作成部により作成された健康状態に関する情報を、対応するレコードに関連付けて保存し、前記送信部は、健康状態に関する情報を、レコードに関連付けられている端末ＩＤ情報を利用して、前記ユーザ端末装置に送信する構成でもよい。
【００１３】
本発明に係る通信システムは、上記課題を解決するために、サーバと、所定の通信規格に準拠した無線通信装置が接続されている外部装置と、前記無線通信装置を利用して通信を行う機能を有するユーザ端末装置とから構成される通信システムにおいて、前記サーバは、前記ユーザ端末装置から送信されてきた、端末ＩＤ情報と、前記外部装置により購入した商品の情報と、前記ユーザ端末装置の位置を示す端末位置情報を含む問合せ情報を受信する第１受信部と、前記端末位置情報に基づいて、前記外部装置を特定する特定部と、前記特定部により特定された前記外部装置に対して、販売した商品に関する情報を問い合わせる問合せ部と、前記問合せ部による問い合わせに応じて、前記外部装置から送信されてきた前記販売した商品に関する情報の中に、前記第１受信部で受信した前記商品の情報が含まれているかどうかを判断する判断部と、前記判断部により前記販売した商品に関する情報の中に、前記商品の情報が含まれていると判断した場合、前記無線通信装置の認証情報を、前記第１受信部で受信した前記端末ＩＤ情報を利用して、前記ユーザ端末装置に送信する第１送信部とを備え、前記外部装置は、前記問合せ部から送信されてきた前記問い合わせを受信する第２受信部と、前記第２受信部により前記問い合わせを受信した場合、販売した商品に関する情報を前記サーバに送信する第２送信部を備え、前記ユーザ端末装置は、自身の位置情報を算出する位置情報算出部と、端末ＩＤ情報と、前記外部装置により購入した商品の情報と、前記端末位置情報を含む問合せ情報を前記サーバに送信する第３送信部と、前記第１送信部から送信されてきた前記無線通信装置の認証情報を受信する第３受信部と、前記第３受信部で受信した前記無線通信装置の認証情報に基づいて、所定の認証処理を実行する実行部を備える構成である。
【発明の効果】
【００１４】
本発明によれば、高いセキュリティとフリーライドの問題を生じることなく、簡易に無線通信装置に接続できる。
【図面の簡単な説明】
【００１５】
【図１】通信システムの構成を示すブロック図である。
【図２】使用可能時間決定テーブルを模式的に示す図である。
【図３】異なる場所に設置されている無線通信装置を使用する場合についての説明に供する図である。
【図４】レコードを模式的に示す図である。
【図５】ユーザが商品を購入してから、ユーザ端末装置により無線通信装置の使用が可能になるまでの流れについての説明に供するフローチャートである。
【発明を実施するための形態】
【００１６】
以下、本発明の実施形態の一例について図を参照しながら説明する。本発明の実施形態に係る通信システム１００は、図１に示すように、サーバ１と、所定の通信規格に準拠した無線通信装置４が接続されている外部装置２と、無線通信装置４を利用して通信を行う機能を有するユーザ端末装置３とから構成される。
【００１７】
サーバ１は、図１に示すように、第１受信部１１と、特定部１２と、問合せ部１３と、判断部１４と、第１送信部１５とを備える。
第１受信部１１は、ユーザ端末装置３から送信されてきた、端末ＩＤ情報と、外部装置２により購入した商品の情報と、ユーザ端末装置３の位置を示す端末位置情報を含む問合せ情報を受信する。
また、本実施例では、「外部装置２により購入した商品の情報」とは、購入された商品の外観をユーザ端末装置３により撮像した写真データとするが、これに限られない。例えば、外部装置２のディスプレイに購入した商品を示す画像（例えば、商品自体の画像、又は商品を示す記号）を表示し、当該画像をユーザ端末装置３で撮像し、当該撮像データを「外部装置２により購入した商品の情報」としてもよい。また、ユーザ端末装置３の位置を示す端末位置情報とは、ユーザ端末装置３のＧＰＳ機能を利用して取得された緯度と経度からなる情報である。
【００１８】
また、本実施例では、第１受信部１１は、所定の通信システム（３Ｇ、４Ｇ等）を利用してユーザ端末装置３から送信されてくる問い合わせ情報を受信するものとして説明するが、これに限られない。例えば、第１受信部１１は、外部装置２の無線通信装置４を経由して、ユーザ端末装置３で作成された問い合わせ情報を受信するような構成でもよい。
【００１９】
特定部１２は、ユーザ端末装置３の位置を示す端末位置情報に基づいて、外部装置２を特定する。例えば、特定部１２は、外部装置２の位置情報を予め保存されている外部サーバを参照し、ユーザ端末装置３の位置を示す端末位置情報に基づいて、最も近くにある外部装置２を特定する。
【００２０】
問合せ部１３は、特定部１２により特定された外部装置２に対して、販売した商品に関する情報を問い合わせる。
判断部１４は、問合せ部１３による問い合わせに応じて、外部装置２から送信されてきた販売した商品に関する情報の中に、第１受信部１１で受信した商品の情報が含まれているかどうかを判断する。
【００２１】
第１送信部１５は、判断部１４により販売した商品に関する情報の中に、商品の情報が含まれていると判断した場合、無線通信装置４の認証情報を、第１受信部１１で受信した端末ＩＤ情報を利用して、ユーザ端末装置３に送信する。無線通信装置４の認証情報とは、無線通信装置４を利用してインターネットへ接続するめのパスワードのことである。
【００２２】
外部装置２は、図１に示すように、第２受信部２１と、第２送信部２２を備える。また、外部装置２は、内部又は外部に無線通信装置４が設置されている。
無線通信装置４は、インターネット接続用に通信回線を備えた無線ＬＡＮルータである。なお、無線ＬＡＮルータは、Ｗｉ−Ｆｉ（登録商標）ルータを含む概念である。また、無線通信装置４は、インターネット接続用の通信回線を備えていればよく、ＷｉＭａｘ（登録商標）、ＬＴＥ等であってもよい。
【００２３】
第２受信部２１は、問合せ部１３から送信されてきた問い合わせを受信する。
第２送信部２２は、第２受信部２１により問い合わせを受信した場合、販売した商品に関する情報をサーバ１に送信する。
【００２４】
ユーザ端末装置３は、図１に示すように、カメラ部３１と、位置情報算出部３２と、第３送信部３３と、第３受信部３４と、実行部３５とを備える。
カメラ部３１は、被写体を撮像する機能を有する。
位置情報算出部３２は、ユーザ端末装置３の地球上での位置を示す情報（緯度、経度）を端末位置情報として算出する。
第３送信部３３は、端末ＩＤ情報と、外部装置２により購入した商品の情報と、端末位置情報を含む問合せ情報をサーバ１に送信する。
第３受信部３４は、第１送信部１５から送信されてきた無線通信装置４の認証情報を受信する。
実行部３５は、第３受信部３４で受信した無線通信装置４の認証情報に基づいて、所定の認証処理を実行する。
ユーザ端末装置３は、実行部３５による認証処理が完了すると、無線通信装置４を介してインターネットに接続することが可能になる。
【００２５】
このような構成により、通信システム１００は、無線通信装置４が接続されている外部装置２の周辺において、無線通信装置４を利用している人がいなくても、ユーザの操作負担を軽減しながら、高いセキュリティとフリーライドの問題を生じることなく、簡易にユーザ端末装置３を無線通信装置４に接続することができる。
【００２６】
なお、上述では、サーバ１は、ユーザ端末装置３から送信されてきた端末位置情報に基づいて外部装置２を特定し、特定した外部装置２に対して、販売した商品に関する情報を問い合わせる構成について説明したが、これに限られない。
【００２７】
例えば、外部装置２は、ユーザに商品を販売したときに、販売した商品に関する情報を、自動的にサーバ１に送信するような構成でもよい。このような構成の場合には、サーバ１は、ユーザ端末装置３から送信されてきた商品の情報と、外部装置２から送信されてきた販売した商品に関する情報とが一致するかどうかを判断する。また、サーバ１は、ユーザ端末装置３から商品の情報が送信されてきた時刻が、外部装置２により商品を販売した時刻から所定の範囲内にあることを条件に、一致するかどうかの判断を行ってもよい。
【００２８】
このような構成によれば、ユーザ端末装置３は、位置情報算出部３２で算出した端末位置情報をサーバ１に送信する必要がなく、処理負担が軽減されるメリットがある。
また、サーバ１は、外部装置２に対して、販売した商品に関する情報を問い合わせる処理を行う必要がなく、処理負担が軽減されるメリットがある。
【００２９】
また、上述では、ユーザ端末装置３は、端末位置情報をサーバ１に送信する構成について説明したが、これに限られない。例えば、ユーザ端末装置３は、無線通信装置４のＳＳＩＤや、Ｂｌｕｅｔｏｏｔｈ（登録商標）をスキャンした際のＭＡＣアドレス等でもよい。このような構成の場合、サーバ１は、ＳＳＩＤ又はＭＡＣアドレスに基づいて、無線通信装置４を特定し、特定した無線通信装置４が設置されている外部装置２を特定する。
【００３０】
また、ユーザ端末装置３は、端末位置情報ではなく、外部装置２のＩＤ情報を代わりにサーバ１へ送信する構成でもよい。外部装置２のＩＤ情報とは、外部装置２に固有に設定されている情報である。
このような構成の場合、ユーザは、外部装置２に表示されている画像（例えば、ＱＲコード（登録商標）等）をユーザ端末装置３のカメラ部３１によって撮像する。ユーザ端末装置３は、撮像したＱＲコードを解析して、外部装置２のＩＤ情報を取得する。なお、外部装置２のＩＤ情報の取得は、上述以外の方法でもよい。
サーバ１は、所定のテーブルを参照して、外部装置２のＩＤ情報から外部装置２に割り当てられているＩＰアドレス情報を特定する。
【００３１】
なお、外部装置２とユーザ端末装置３とが直接通信して、ユーザ端末装置３が取得した写真データをサーバ１へ送ることができる構成の場合、サーバ１は、ユーザ端末装置３を介して外部装置２と通信できるため、外部装置２のＩＤ情報は不要になる。
【００３２】
ここで、ユーザ端末装置３の動作について説明する。
ユーザは、外部装置２により商品を購入したときに、ユーザ端末装置３のカメラ部３１を利用して、購入した商品を撮像する。カメラ部３１で撮像された写真データは、外部装置２により購入した商品の情報に相当する。
【００３３】
ユーザ端末装置３は、ユーザの操作に応じて、商品の写真データと、端末ＩＤ情報と、ユーザ端末装置３の位置を示す端末位置情報を含む問合せ情報をサーバ１に送信する。
【００３４】
第１受信部１１は、問い合わせ情報を受信する。
判断部１４は、外部装置２から送信されてきた販売した商品に関する情報に商品の写真データが含まれている場合には、当該写真データを用いて、第１受信部１１で受信した問い合わせ情報に含まれている商品の写真データが含まれているかどうかを判断する。
【００３５】
また、判断部１４は、外部装置２から送信されてきた販売した商品に関する情報に商品の写真データが含まれていない場合には、所定のデータベースから商品の写真データを取得し、取得した商品の写真データを用いて、第１受信部１１で受信した商品の写真データが含まれているかどうかを判断する。
【００３６】
このような構成により、通信システム１００は、ユーザが外部装置２から購入した商品を確実に把握することができ、ユーザの操作負担を軽減しながら、高いセキュリティとフリーライドの問題を生じることなく、簡易にユーザ端末装置３を無線通信装置４に接続することができる。
【００３７】
サーバ１は、図１に示すように、決定部１６をさらに備える。
決定部１６は、判断部１４により販売した商品に関する情報の中に、商品の情報が含まれていると判断した場合、購入された商品に応じた無線通信装置４の使用可能時間を決定する。
【００３８】
第１送信部１５は、無線通信装置４の認証情報とともに、無線通信装置４の使用可能時間を、第１受信部１１で受信した端末ＩＤ情報を利用して、ユーザ端末装置３に送信する。
【００３９】
ユーザ端末装置３は、使用可能時間分、無線通信装置４を使用してインターネットに接続することができる。
【００４０】
また、決定部１６は、図２に示すような、商品と使用可能時間が一対一に対応付けられている使用可能時間決定テーブルを参照して、購入された商品に応じた使用可能時間を決定してもよい。なお、図２に示す使用可能時間決定テーブルの構成は、一例であって、これに限られない。例えば、商品の値段に応じて使用可能時間が増加するようなテーブルであってもよい。また、決定部１６は、テーブルを参照する構成ではなく、演算式により使用可能時間を算出する構成でもよい。
【００４１】
このような構成により、通信システム１００は、ユーザが外部装置２から購入した商品に応じた時間分、無線通信装置４をユーザ端末装置３に利用させることができる。
【００４２】
また、通信システム１００は、無線通信装置４の使用可能時間を経過する前にユーザ端末装置３が無線通信装置４の使用を止めた場合、残りの使用可能時間を別の機会に使用させる構成でもよい。このような構成の場合、ユーザ端末装置３は、使用可能時間の残存時間を記憶しておき、別の機会に無線通信装置４に対して接続要求を行う。
【００４３】
また、通信システム１００は、残存時間の使用に際しては、ユーザ端末装置３と無線通信装置４の間で残存時間の確認処理を行ってもよいし、ユーザ端末装置３とサーバ１の間で残存時間の確認処理を行ってもよい。後者の場合には、ユーザ端末装置３は、無線通信装置４の使用を止めたときに、無線通信装置４の認証情報が消去される。そして、別の機会に、ユーザ端末装置３は、残存時間の使用をサーバ１に求め、新たに無線通信装置４の認証情報をサーバ１から取得し、取得した認証情報に基づいて認証処理を実行する。
【００４４】
また、通信システム１００は、無線通信装置４の使用可能時間を累積させる構成でもよい。このような構成によれば、ユーザは、商品を購入する度に、無線通信装置４の使用可能時間を増加させることができる。
【００４５】
また、通信システム１００は、ユーザに付与した無線通信装置４の使用可能時間内であれば、異なる場所に設置されている無線通信装置４を使用させる構成でもよい。このような構成によれば、ユーザは、図３に示すように、ある場所に設置されている外部装置２ａで商品を購入して無線通信装置４ａの使用可能時間ｔを得て、その後、異なる場所に設置されている外部装置２ｂの無線通信装置４ｂを使用可能時間ｔ分使用することができる。よって、通信システム１００は、ユーザの利便性を向上することができる。
【００４６】
サーバ１は、図１に示すように、記憶部１７と、処理部１８と、検索部１９と、健康状態情報作成部２０とをさらに備える。
【００４７】
記憶部１７は、端末ＩＤ情報と商品の情報が関連付けられているレコードを記憶する。レコードは、例えば、図４に示すように、端末ＩＤ情報に対して、商品の情報、購入した日付等の履歴情報が関連付けられている。
【００４８】
処理部１８は、第１受信部１１で問合せ情報を受信したときに、当該問合せ情報に含まれている端末ＩＤ情報に対応するレコードが記憶部１７に記憶されている場合には、対応するレコードに商品の情報を追加する。
【００４９】
また、処理部１８は、第１受信部１１で問合せ情報を受信したときに、当該問合せ情報に含まれている端末ＩＤ情報に対応するレコードが記憶部１７に記憶されていない場合には、端末ＩＤ情報と商品の情報を関連付けたレコードを作成し、作成したレコードを記憶部１７に記憶する。
【００５０】
検索部１９は、レコードに関連付けられている商品の情報に基づいて、当該商品の成分を検索する。例えば、あるレコードに関連付けられている商品の情報が飲料の場合について説明する。検索部１９は、飲料の名称で検索を行い、飲料の栄養表示を取得する。栄養表示には、例えば、エネルギー、たんぱく質、資質、炭水化物、ナトリウム、糖類等が含まれている。
処理部１８は、図４に示すように、検索結果を対応するレコードに関連付けて保存する。
【００５１】
健康状態情報作成部２０は、検索部１９により検索された成分を解析し、健康状態に関する情報を作成する。例えば、健康状態情報作成部２０は、レコードに保存されている複数の検索結果を総合的に判断して、健康状態に関する情報を作成する。
処理部１８は、図４に示すように、健康状態情報作成部２０により作成された健康状態に関する情報を、対応するレコードに関連付けて保存する。
【００５２】
第１送信部１５は、記憶部１７にアクセスして健康状態に関する情報を取得し、取得した健康に関する情報を対応するユーザ端末装置３に送信する。
【００５３】
このような構成により、通信システム１００は、ユーザが外部装置２から購入した商品に基づいて、健康状態に関する情報を作成し、作成した健康状態に関する情報をユーザ端末装置３に送信することができる。よって、ユーザは、健康状態に関する情報を参考にして、商品を購入することができる。
【００５４】
また、健康状態情報作成部２０は、健康状態に関する情報に基づいて、商品のレコメンドを行ってもよい。このような構成の場合、第１送信部１５は、健康状態に関する情報とともに、商品のレコメンドをユーザ端末装置３に送信する。よって、ユーザは、健康状態に関する情報とレコメンドされた商品を参考にして、商品を購入することができる。
【００５５】
ここで、ユーザが商品を購入してから、ユーザ端末装置３により無線通信装置４の使用が可能になるまでの流れについて、図５を参照しながら説明する。以下では、ユーザは、自動販売機である外部装置２により商品を購入し、ユーザ端末装置３を操作して、所定のアプリケーション（以下、アプリという）を起動している状態であるものとする。
【００５６】
ステップＳＴ１において、ユーザ端末装置３は、アプリが起動されると、購入した商品の画像を撮像するようにユーザに促す。このとき、ユーザ端末装置３は、自動的にカメラ部３１を起動してもよい。ユーザ端末装置３は、ユーザの操作に応じて、カメラ部３１により購入した商品を撮像する。なお、外部装置２のディスプレイに購入した商品を示す画像を表示し、当該画像をユーザ端末装置３に撮像させる構成でもよい。
【００５７】
ステップＳＴ２において、ユーザ端末装置３は、カメラ部３１により撮像された商品の画像データと、端末ＩＤ情報と、ユーザ端末装置３の位置を示す端末位置情報を含む問合せ情報をサーバ１に送信する。
【００５８】
ステップＳＴ３において、サーバ１は、ユーザ端末装置３の位置を示す端末位置情報に基づいて、外部装置２を特定する。なお、外部装置２を特定する方法としては、上述以外でもよい。例えば、ユーザ端末装置３は、商品の画像データを近接無線通信により外部装置２に送信する。外部装置２は、ユーザ端末装置３から送信された商品の画像データに、自分自身を識別する固有の識別情報を付加してサーバ１に送信する。サーバ１は、外部装置と識別情報が対応付けられている対応テーブルを参照し、受信した識別情報に基づいて、外部装置２を特定する。
【００５９】
ステップＳＴ４において、サーバ１は、特定された外部装置２に対して、販売した商品に関する情報を問い合わせる。
【００６０】
ステップＳＴ５において、外部装置２は、販売した商品に関する情報をサーバ１に送信する。販売した商品に関する情報は、例えば、販売日時と商品に関する情報が関連付けられている。
【００６１】
ステップＳＴ６において、サーバ１は、ステップＳＴ４の工程による問い合わせに応じて、外部装置２から送信されてきた販売した商品に関する情報の中に、ステップＳＴ３の工程で受信した商品の情報が含まれているかどうかを判断する。受信した商品の情報が含まれていると判断した場合には、ステップＳＴ７に進む。
なお、外部装置２は、ユーザに商品を販売したときに、販売した商品に関する情報を、自動的にサーバ１に送信するような構成でもよい。このような構成の場合には、上述したステップＳＴ４とステップＳＴ５の工程の代わりに、外部装置２からサーバ１へ販売した商品に関する情報を送信する工程が挿入される。
【００６２】
また、受信した商品の情報が含まれていると判断した場合には、ユーザ端末装置３に無線通信装置４の使用を許可できない旨を通知する。ユーザ端末装置３は、当該通知を受信した場合、無線通信装置４を使用できない旨を表示する。
【００６３】
ステップＳＴ７において、サーバ１は、無線通信装置４の認証情報をユーザ端末装置３に送信する。
ステップＳＴ８において、ユーザ端末装置３は、無線通信装置４の認証情報に基づいて、所定の認証処理を実行する。ユーザ端末装置３は、認証処理が完了すると、無線通信装置４を介してインターネットに接続することが可能になる。なお、実際には、起動されているアプリが所定の認証処理を行う。
【００６４】
このようにして、通信システム１００は、無線通信装置４が接続されている外部装置２の周辺において、無線通信装置４を利用している人がいなくても、ユーザの操作負担を軽減しながら、高いセキュリティとフリーライドの問題を生じることなく、簡易にユーザ端末装置３を無線通信装置４に接続することができる。
【００６５】
なお、本実施例では、外部装置２は、飲料水等を販売する自動販売機として説明したが、これに限られない。例えば、外部装置２は、店舗（例えば、飲食店）内に設置されているＰＯＳシステムであってもよい。ＰＯＳシステムを利用する場合、ユーザ端末装置３は、カメラ部３１により飲食店で販売された食券やレシート等を撮影し、撮影したデータを購入した商品の情報としてサーバ１に送信する。サーバ１は、ユーザ端末装置３から送信されてきた商品の情報（食券やレシート等の画像データ）が、ＰＯＳから送信されてきた購入された商品に関する情報（食券やレシート等の情報）に含まれているかどうかを判断する。
【００６６】
また、本実施例では、ユーザ負担を軽減し、高いセキュリティとフリーライドの問題を生じることなく、簡易に無線通信装置に接続できるサーバ及び通信システムの構成と動作について説明したが、これに限られず、各構成要素を備え、ユーザ負担を軽減し、高いセキュリティとフリーライドの問題を生じることなく、簡易に無線通信装置に接続するための方法、及びプログラムとして構成されてもよい。
【００６７】
さらに、サーバ及び通信システムの機能を実現するためのプログラムをコンピュータで読み取り可能な記録媒体に記録して、この記録媒体に記録されたプログラムをコンピュータシステムに読み込ませ、実行することによって実現してもよい。
【００６８】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００６９】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００７０】
１  サーバ
２  外部装置
３  ユーザ端末装置
４  無線通信装置
１１  第１受信部
１２  特定部
１３  問合せ部
１４  判断部
１５  第１送信部
１６  決定部
１７  記憶部
１８  処理部
１９  検索部
２０  健康状態情報作成部
２１  第２受信部
２２  第２送信部
３１  カメラ部
３２  位置情報算出部
３３  第３送信部
３４  第３受信部
３５  実行部
１００  通信システム
【図１】
2014192709.tif 000003
【図２】
2014192709.tif 000004
【図３】
2014192709.tif 000005
【図４】
2014192709.tif 000006
【図５】
2014192709.tif 000007